(57)【特許請求の範囲】
【請求項１】
記録媒体であるディスクの面を略垂直状態にしてターンテーブルによって駆動するメカニズムを配置した本体キャビネットと、
前記本体キャビネットに対して下方を軸に回動的に開閉自在に取り付けた蓋体と、
内装するマグネットの前記ターンテーブルとの吸着力によって前記ターンテーブルとの間に前記ディスクを挟持するディスククランパーと、
前記蓋体内にあって前記ディスククランパーを揺動、回転自在に保持するとともに前記蓋体の開放に連動して前記ディスククランパーに対してその下方から前記ターンテーブルへの吸着を解除するよう係合する係合手段と、
前記蓋体の開状態への移行に遅れて追随連動して前記キャビネット本体から離れるよう動作し前記ディスククランパーと前記ターンテーブルとの間から落下したディスクを保持するディスクホルダーと、
前記ディスクホルダーを前記蓋体から離れる方向へ付勢するばねとを備え、
前記蓋体の閉状態から開状態への移行時は、
前記蓋体の回動開始後、前記ばねにより付勢されている前記ディスクホルダーが前記蓋体の開状態への移行に遅れて前記ディスク下方に残っている状態から、前記蓋体の開状態への移行に連動して前記係合手段を前記ディスクホルダーに当接させて回動させることで、前記係合手段が前記ディスククランパーの下方から前記ターンテーブルへの吸着を解除させて、挟持したディスクを前記ディスクホルダー上に落下させるように構成したことを特徴とするディスク着脱装置。
【発明の詳細な説明】
【０００１】
【発明の属する技術分野】
本発明は音響再生装置等の本体キャビネットにコンパクトディスク等のディスク状記録媒体面を略垂直に装着するためのディスク着脱装置に関するものである。
【０００２】
【従来の技術】
従来、音響再生装置においてコンパクトディスク用メカニズム等にディスク状の再生用記録媒体の面を垂直に装着するディスク着脱装置は特開平１ー１８５８７１号公報に記載されたものが知られている。図６は従来のディスク着脱装置を用いた音響再生装置の外観斜視図、図７は同じくそのディスク着脱装置の側断面図を示す。図６，図７において、再生用の記録媒体としてコンパクトディスク（以下ＣＤと略称）を用いるＣＤ用メカニズム４をＣＤの面を略垂直状態で駆動するよう配置し、このＣＤ用メカニズム４のターンテーブル４ａに対向するようにディスククランパー１２が蓋体２１に、ある範囲内で揺動、回転自在に取り付けられ、蓋体２１は回動軸２１ｅを中心にキャビネット５に開蓋方向（反時計方向）に回動的に開閉自在に取り付けられている。
【０００３】
蓋体２１はオープンばね１５によって常に開蓋方向に付勢されており、閉蓋状態では、ロック片（図示せず）によってその状態を保持し、イジェクト釦１８を押すことによって開蓋状態への移行動作を行うようになっている。蓋体２１には開蓋状態で１２cmＣＤ６が装着できるようにディスク受け１６を構成しクランパー１２にはターンテーブル４ａとの間にＣＤ６を挟持する目的で磁性体のターンテーブル４ａに吸着するためのマグネット１７を内装し、ターンテーブル４ａの回転をＣＤ６に効率よく伝達できるようになっており、ターンテーブル４ａの回転によってディスククランパー１２は蓋体２１に接触することなくＣＤ６と一体となって回転する。さらに開蓋状態への移行時には、まず蓋体２１が回動軸２１ｅを中心に図７の反時計方向へ回動するとき、蓋体２１に形成した下側リブ２１ａによってディスククランパー１２のフランジ１２ａを図７の左方に引っ張ることによって、ディスククランパー１２をマグネット１７のターンテーブル４ａへの吸着力から解放し、ディスククランパー１２とターンテーブル４ａの間に挟持されていた１２cmＣＤ６を取り出すことができる。
【０００４】
また、図中斜線で示した小形の８ｃｍＣＤ１０の着脱の手段として蓋体２１に８ｃｍディスク受け２１ｂを形成し８ｃｍＣＤ１０を装着できるようになっている。８ｃｍＣＤ１０を装着したとき、閉蓋時には８ｃｍディスク受け２１ｂの先端２１ｃは１２ｃｍのＣＤ６を装着したときに接触しないように一定の隙間ａを持って形成されているため、開蓋状態への移行の際８ｃｍのＣＤ１０の下端を８ｃｍディスク受け２１ｂに乗せる必要があり、このため上側リブ２１ｄと下側リブ２１ａに段差を付け、フランジ１２ａの下側を引っ張るように構成している。このように構成した場合、クランパー１２はマグネット１７の吸着力によって磁性体のターンテーブル４ａに吸着しているためフランジ１２ａの下側を引っ張ると、ディスククランパー１２と８ｃｍＣＤ１０とは点ｂを中心にして、同時に時計方向に回動しマグネット１７の吸着力から離脱するときには、８ｃｍＣＤ１０は８ｃｍディスク受け２１ｂ上に収まるのである。
【０００５】
この場合、８ｃｍＣＤ１０が８ｃｍディスク受け２１ｂから容易に脱落しないように、先端２１ｃを傾斜面にして、落下してきた８ｃｍＣＤ１０を８ｃｍディスク受け２１ｂ上に受け止めるようにしている。
【０００６】
【発明が解決しようとする課題】
しかしながら上記のような従来のディスク着脱装置では、蓋体２１の回動軸２１ｅは８cmＣＤ１０の垂直線上もしくは、その近傍に配置構成しなくてはならず、仮に回動軸２１ｅが離れて構成された場合、開蓋時に８cmＣＤ１０を８cmディスク受け２１ｂに収めることができない場合が生じ、小型化を指向する音響再生装置において、デザイン的制約を受けると言う問題点を有していた。
【０００７】
本発明は上記従来の問題点を改善するためのもので、ＣＤ等のディスク状記録媒体の面を垂直になるよう配置した音響再生装置をデザイン的制約を受けずコンパクトに提供することを目的としてなされたものである。
【０００８】
【課題を解決するための手段】
この課題を解決するために本発明の請求項１のディスク着脱装置は、記録媒体であるディスクの面を略垂直状態にしてターンテーブルによって駆動するメカニズムを配置した本体キャビネットと、本体キャビネットに対して下方を軸に回動的に開閉自在に取り付けた蓋体と、内装するマグネットのターンテーブルとの吸着力によってターンテーブルとの間にディスクを挟持するディスククランパーと、蓋体内にあってディスククランパーを揺動、回転自在に保持するとともに蓋体の開放に連動してディスククランパーに対してその下方からターンテーブルへの吸着を解除するよう係合する係合手段と、蓋体の開状態への移行に遅れて追随連動してキャビネット本体から離れるよう動作しディスククランパーとターンテーブルとの間から落下したディスクを保持するディスクホルダーとを備えた構成である。
【０００９】
この構成において蓋体の閉状態から開状態への移行時にディスクホルダーが蓋体の開状態への移行に遅れてディスク下方に残っているときに蓋体の開状態への移行に連動して係合手段がディスククランパーの下方からターンテーブルへの吸着を解除させて挟持したディスクをディスクホルダー上に落下させるように作用する。
【００１０】
これによって装着時の操作性も向上し、蓋体の回動軸の配置構成においてデザイン的制約を受けないコンパクトな音響再生装置が得られる。
【００１１】
【発明の実施の形態】
以下本発明のディスク着脱装置の一実施形態について、図１ないし図４を用いて説明する。図１は本発明の一実施形態のディスク着脱装置を用いた音響再生装置の外観斜視図を示し、図１において蓋体１は、その下辺両端部に回動軸２を形成し本体キャビネット５に対し回動的に開閉自在になっている。リンク３は本体キャビネット５に対して蓋体１の開蓋角度を一定に保持するストッパーの機能と、蓋体強度を保つ役割を有しており、蓋体１の開閉動作に連動してキャビネット５内部に回動しながら収納するようになっている。ＣＤ用メカニズム４は本体キャビネット５に対して記録媒体であるＣＤの面を略垂直に配置し、このＣＤ用メカニズム４のターンテーブル４ａを中心として、本体キャビネット５には１２ｃｍＣＤ６が入る凹部５ａを形成している。蓋体１にはロック爪１ｂを形成し、閉蓋状態でロック片７によって保持される。また蓋体１に形成したリブ１ａは、閉蓋状態で本体キャビネット５に固定したオープンばね８を押すことによって蓋体１に一定の開方向への付勢力を受けている。イジェクト釦９とロック片７は連動するように構成され、このイジェクト釦９を押すとロック片７が下がり、ロック状態が解放されオープンばね８による付勢力によって蓋体１が一定の角度だけ開くように構成し、それ以上の角度は手動にて開くようになっている。
【００１２】
図２は同じくそのディスク着脱装置における開蓋時のＣＤの装着状態を示した斜視図で、（ａ）は１２ｃｍＣＤ６を装着したとき、（ｂ）は８ｃｍＣＤ１０を装着したときを示す。特に８ｃｍＣＤ１０を保持するために、ディスククランパー１２の下縁外周部に半円弧形状のディスクホルダー１１を構成している。
【００１３】
図３は本発明の一実施形態のディスク着脱装置の側断面図、図４は同じくその蓋体の開蓋状態を示す側断面図、図５は同じくその蓋体の開蓋状態への移行途中を示す側断面図である。本体キャビネット５内にはターンテーブル４ａを有するＣＤ用メカニズム４がＣＤの面を略垂直の状態で駆動するように配置される。蓋体１はキャビネット５の下方に設けた回動軸２を中心に図の左方の開蓋方向（反時計方向）に回動的に開閉自在であるように取り付けられている。ディスククランパー１２は、このＣＤ用メカニズム４で駆動されるターンテーブル４ａに対向するようにクランパーホルダー１３によってある範囲において揺動自在かつ回転自在になるよう蓋体１に保持される。ディスククランパー１２にはマグネット１７を内装して、これが磁性体のターンテーブル４ａに吸着する吸着力によってターンテーブル４ａとの間に１２ｃｍＣＤ６または８ｃｍＣＤ１０を挟持し、ターンテーブル４ａの回転によってクランパー１２は蓋体１に接触することなく１２ｃｍＣＤ６または８ｃｍＣＤ１０と一体となって回転する。
【００１４】
係合手段であるクランパーホルダー１３には斜面１３ａを形成し、閉蓋状態から蓋体１を開蓋状態に移行させるとき、斜面１３ａによってディスククランパー１２のフランジ１２ａの下方を図の左方へ引っ張ることによって、クランパー１２をマグネット１７のターンテーブル４ａへの吸着力から解放し、クランパー１２とターンテーブル４ａの間に挟持されていた１２ｃｍＣＤ６または８ｃｍＣＤ１０を取り出すように構成する。
【００１５】
また、小型の８ｃｍＣＤ１０の着脱の手段として蓋体１に回動軸２を中心にディスクホルダー１１を回動自在に取り付け、蓋体１とディスクホルダー１１の間にばね１４を配置し閉蓋時から開蓋状態への移行時には、ばね１４の弾力によって隙間ｃの範囲内で反時計方向に回動する蓋体１に対してディスクホルダー１１が相対的に時計方向に回動するようになっている。閉蓋時には、ディスクホルダー１１の当接リブ１１ａがキャビネット５の下の壁面に当たるのでばね１４の弾力に抗して、１２ｃｍＣＤ６の表面と、ディスクホルダー１１の８ｃｍディスク受け１１ｂの先端との隙間ｄを一定に保つようになっている。また載置された８ｃｍＣＤ１０が容易に脱落しないように、８ｃｍディスク受け１１ｂの先端を傾斜面にしている。
【００１６】
以上のように構成されたディスク着脱装置について、まず８ｃｍＣＤを用いたときの動作を説明する。まず閉蓋状態から開蓋状態への移行時、蓋体１が反時計方向へ開きかけると、クランパー１２はマグネット１７の吸着力によってターンテーブル４ａに吸着しているため、クランパーホルダー１３の斜面１３ａによってディスククランパー１２のフランジ１２ａの下側を図の左方へ引っ張ると、クランパー１２と８ｃｍＣＤ１０とは同時に点ｂを中心にして時計方向に回動する。この時蓋体１が或る程度開いた状態でも、ディスクホルダー１１は、ばね１４の弾力によって係合部１１ｃとクランパーホルダー１３の係合部１３ｂとの隙間ｃがなくなり、互いに当接するまで蓋体１の閉状態と同じ位置を保っている。すなわちディスクホルダー１１は蓋体１の開状態への移行に遅れて留まっているため、ディスククランパー１２がマグネット１７のターンテーブル４ａへの吸着力から離脱して８ｃｍＣＤ１０を保持しなくなるときには、点ｂを中心に時計方向に回動していた８ｃｍＣＤ１０の下端はディスクホルダー１１の８ｃｍディスク受け１１ｂ上に収まる。そして先端の傾斜面があることによって場合８ｃｍＣＤ１０が容易に脱落することがない。このときの状態を図５に示す。
【００１７】
また８ｃｍＣＤの装着時には、図４の蓋体１の開蓋状態でディスクホルダー１１の８ｃｍディスク受け１１ｂ上に載置する。このときディスクホルダー１１がばね１４によってキャビネット本体５側に押し出されているために従来よりも８ｃｍＣＤ１０を装着するときの操作性がよい。また８ｃｍＣＤ１０を誤ってディスクホルダー１１から脱落した状態で閉蓋動作をした場合、ディスクホルダー１１がばね１４の弾性によってたわむためディスクを傷つけることがない。そして蓋体１を手で閉蓋方向に押圧すると蓋体１の１ａ部分でフランジ１２ａを押圧されたディスククランパー１２はマグネット１７の吸着力によって８ｃｍＣＤ１０を挟持しながら磁性体のターンテーブル４ａに吸着して図３のようにターンテーブル４ａとの間に固定する。ディスク取り出しのときも、ディスク装着のときも、ディスクホルダー１１は蓋体１から図３における隙間ｃの分だけ相対的に本体キャビネット５側に張り出すので、８ｃｍＣＤ１０を保持しやすくなるものである。
【００１８】
１２ｃｍＣＤの場合は、閉蓋状態から開蓋状態への移行時には、ディスククランパー１２がマグネット１７のターンテーブル４ａへの吸着力から離脱して１２ｃｍＣＤ６を保持しなくなるときには、本体キャビネット５の凹部５ａ上に落下し、また装着時には１２ｃｍＣＤ６を本体キャビネット５の凹部５ａ上に載置すればよいものである。
【００１９】
以上のように本実施形態によればディスクホルダー１１が蓋体１の開状態への移行に遅れて追随連動してキャビネット本体５から離れるよう動作して８ｃｍＣＤ１０の下方に残っているときに、蓋体１の開状態への移行に連動してクランパーホルダー１３の斜面１３ａがディスククランパー１２のフランジ１２ａの下側を左方へ引っ張ることによってマグネット１７のターンテーブル４ａへの吸着を解除させて挟持した８ｃｍＣＤ１０を時計方向へ回動させながらディスクホルダー１１上に落下させ、この落下した８ｃｍＣＤ１０をディスクホルダー１１の８ｃｍディスク受け１１ｂによって保持するように構成したことにより蓋体１の回動軸２の位置が自由に決定できデザイン的制約を受けることないコンパクトな機器を提供できるものである。
【００２０】
なおコンパクトディスクを用いた音響機器の例で説明したが、ディスク状の記録媒体であればどのような用途に用いてもよく、またディスクの寸法数値には限定されない。
【００２１】
【発明の効果】
以上説明したように本発明のディスク着脱装置は、請求項１の構成によって、蓋体の回動軸はその面を略垂直に配置した小口径のディスクの垂直線上もしくは、その近傍に配置構成しなくてもよく、仮に回動軸が離れて構成されても、開蓋時に小口径のディスクをディスク受けに収めることができ、小型化を指向する音響再生装置において、デザイン的制約を受けることなくコンパクトに提供できるという有利な効果が得られる。また、開蓋時のディスク装着の際、ディスクホルダーがばねによって押し出されているため、装着性も従来に対して向上する。さらに、小口径のディスクを誤ってディスクホルダーから脱落した状態で閉蓋動作をした場合、ディスクホルダーがばねの弾性によってたわむためディスクを傷つけないという有利な効果も得られる。
【図面の簡単な説明】
【図１】本発明の一実施形態のディスク着脱装置を用いた音響再生装置の外観斜視図
【図２】同じくそのディスク着脱装置における開蓋時のディスクの装着状態を示した斜視図
【図３】同じくディスク着脱装置の側断面図
【図４】同じくディスク着脱装置の蓋体の開蓋状態を示す側断面図
【図５】同じくその蓋体の開蓋状態への移行途中を示す側断面図
【図６】従来のディスク着脱装置を用いた音響再生装置の外観斜視図
【図７】同じくディスク着脱装置の側断面図
【符号の説明】
１  蓋体
２  回動軸
４  ＣＤ用メカニズム
４ａ  ターンテーブル
５  本体キャビネット
６    １２ｃｍＣＤ
１０  ８ｃｍＣＤ
１１  ディスクホルダー
１１ｂ  ８ｃｍディスク受け
１２  ディスククランパー
１２ａ  フランジ
１３  クランパーホルダー
１３ａ  斜面
１４  ばね
１７  マグネット
【図１】
0003555374.tif 000002
【図２】
0003555374.tif 000003
【図３】
0003555374.tif 000004
【図４】
0003555374.tif 000005
【図５】
0003555374.tif 000006
【図６】
0003555374.tif 000007
【図７】
0003555374.tif 000008